(57)【特許請求の範囲】
【請求項１】
保護枠と、保護カバーと、結束具とを含む浄化槽用スラブ保護装置であって、
前記保護枠は、２つの相対向する開口面を有し、
前記保護カバーは、前記保護枠とは別個に設けられるとともに、前記保護枠の上部に載置されて、前記２つの相対向する開口面の一方を覆い、
前記結束具は、前記保護カバーを前記保護枠に固定する
浄化槽用スラブ保護装置。
【請求項２】
請求項１に記載された浄化槽用スラブ保護装置であって、
前記結束具は、伸縮性を有する材料を含む浄化槽用スラブ保護装置。
【請求項３】
請求項１または２の何れかに記載された浄化槽用スラブ保護装置であって、
前記結束具は、フック部と、バンド部とを含み、
前記フック部は、前記バンド部の端部に取り付けられている
浄化槽用スラブ保護装置。
【請求項４】
請求項１に記載した浄化槽用スラブ保護装置を含む浄化槽用スラブの打設方法であって、
まず、埋設された浄化槽の上部に、成型枠を配置し、
次に、前記成型枠の内部にコンクリートを注入し、
次に、前記成型枠の上部に前記保護枠を載置し、
次に、前記保護枠の上部に保護カバーを載置し、
次に、前記結束具を用いて、前記保護枠に保護カバーを固定する
工程を含む浄化槽用スラブの打設方法。
【請求項５】
請求項４に記載した浄化槽用スラブの打設方法であって、
さらに、前記成型枠と、前記保護枠とを固定する
工程を含む浄化槽用スラブの打設方法。
【発明の詳細な説明】
【０００１】
【発明の属する技術分野】
本発明は浄化槽用スラブ保護装置、及び、この浄化槽用スラブ保護装置を使用した浄化槽用スラブの打設方法に関する。
【０００２】
【従来の技術】
地中に埋設された浄化槽の上部にスラブを形成する場合、まず、地表面に露出した浄化槽の蓋を囲んで成型枠を設置し、次に成型枠の内部に適量のコンクリートを注入して、浄化槽の蓋の周りにコンクリートを打設する。そして、コンクリートの養生期間の経過を待って成型枠を除去する。
【０００３】
上述した養生期間中のコンクリートは、直接的な損壊や異物の混入は勿論のこと、特に気象条件の変化により影響を受け、品質が劣化する危険性が高い。
例えば、養生期間中に、気温の低下によりコンクリート内部の水分が凍結すると、所望の強度を得ることはできなくなる。
【０００４】
また、養生期間中のコンクリートが降雨にさらされると、養生期間の延長を強いられ、もしくは、所望の強度を得ることができなくなってしまう。さらに、最悪の場合には、大量の水分を含んだコンクリートが、成型枠の外部に流出してしまうという危険もある。
【０００５】
上述した気象条件による品質劣化は、時間の経過によってコンクリートの腐食またはクラックを発生させる等、耐久性に直接影響する深刻な損害をもたらすことが多い。
【０００６】
上述した不都合は、一旦発生すると、修復に多大な労力と費用を要するから従来技術においても様々な保護手段が講じられている。例えば、養生期間中のコンクリートを外部の不都合から遮断するため、養生板や養生マットを用いる保護手段や、成型枠の周囲に所謂テントを設置する保護手段が採られる。
【０００７】
しかし、従来技術には以下の問題点が存在する。まず、一枚若しくは複数枚の養生板を成型枠に載置してコンクリートを保護しようとする場合、強風等により養生板が移動し、さらには脱落する等の問題点がある。
【０００８】
次に、養生マットを成型枠に載置してコンクリートを保護しようとする場合も、強風等により養生マットが移動し、さらには脱落する等の問題点がある。
【０００９】
加えて、養生マットでは、マットに染み込んだ雨水がコンクリート上に漏出  することを防止できない。
【００１０】
また、テントを使用してコンクリートを保護しようとする場合にも、強風等によりテントの一部が損壊し、さらには完全に倒壊する等の問題点がある。加えて、テントは一般に布を用いて形成されるから、破損しやすい点で経済的ではない。また、防水性及び断熱性を期待しえないうえ、風ではためいて工事現場周辺の騒音問題にもなる。しかも、テントの設営は作業空間を狭めるから、作業効率上及び現場作業者の安全管理上の問題がある。
【００１１】
現段階においては、防水性及び断熱性を特に要する場合、成型枠に養生マットを載置して、さらにテントを設ける等、上述した手段を複合的に組み合わせたものが用いられている。
【００１２】
しかし、上述複合手段によっても、テント使用に係る問題点として、騒音問題、素材的強度の問題及び安全性確保の問題は解決されないうえ、保護手段の複合化により施工コストがさらに増大する点で、依然として問題がある。
【００１３】
【発明が解決しようとする課題】
本発明の課題は、養生期間中のコンクリートを損壊または変質から確実に保護することができる浄化槽用スラブ保護装置及び浄化槽用スラブの打設方法を提供することである。
【００１４】
本発明のもう一つの課題は、容易に、且、安価に実行できる浄化槽用スラブ保護装置及び浄化槽用スラブの打設方法を提供することである。
【００１５】
本発明の更にもう一つの課題は、省スペース化に適した浄化槽用スラブ保護装置及び浄化槽用スラブの打設方法を提供することである。
【００１６】
【課題を解決するための手段】
上述した課題を解決するため、本発明に係る浄化槽用スラブ保護装置は、保護枠と、保護カバーと、結束具とを含む。前記保護枠は、２つの相対向する開口面を有する。前記保護カバーは、前記保護枠とは別個に設けられるとともに、前記保護枠の上部に載置されて、前記２つの相対向する開口面の一方を覆う。前記結束具は、前記保護カバーを前記保護枠に固定する。
【００１７】
上述したように浄化槽用スラブ保護装置は、保護枠を含む。保護枠は、枠体であって複雑な構造を有しないから、容易に、且、安価に製造及び使用することができる。
【００１８】
保護枠は、２つの相対向する開口面を有するから、枠体の内側に形成される貫通空間を、養生期間中のコンクリートに対する非接触空間として利用することができる。
【００１９】
保護カバーは保護枠の上部に載置されて、２つの相対向する開口面の一方を覆う。従って、養生期間中のコンクリートを損壊または変質から確実に保護することができる。
【００２０】
しかも、保護カバーは、保護枠とは別個に設けられるから、保護カバーを、保護枠から独立し、その機能に適した構造又は材質によって構成することができる。例えば、断熱性に優れた構造、折り畳み可能な構造等を採用することができ、それによって、養生期間中のコンクリートの保護機能の向上、及び、取り扱いの簡便化等を図ることができる。
【００２１】
結束具は、保護カバーを保護枠に固定する。従って、結束具の結束強度を調節することにより、養生期間中のコンクリートを損壊または変質から確実に保護することができる。
【００２２】
本発明に係る浄化槽用スラブ保護装置を使用した浄化槽用スラブの打設方法では、以下の工程を含む。まず、埋設された浄化槽の上部に、成型枠を配置する。次に、成型枠の内部にコンクリートを注入する。次に、成型枠の上部に保護枠を載置する。次に、保護枠の上部に保護カバーを載置する。次に、結束具を用いて、保護枠に保護カバーを固定する。
【００２３】
上述した工程において浄化槽用スラブ保護装置は、成型枠の上部に保護枠を載置され、保護枠の上部に保護カバーを載置されるから、保護カバーとコンクリートの表面との間には非接触空間が生じる。従って、空気断熱効果を奏し、養生期間中のコンクリートの変質を防止することができる。
【００２４】
本発明の他の目的、構成及び利点については、添付図面を参照し、更に詳しく説明する。添付図面は、単に、例示に過ぎない。
【００２５】
【発明の実施の形態】
１．第１の実施例について
図１は、本発明に係る浄化槽用スラブ保護装置の分解構造を示す斜視図である。図示する浄化槽用スラブ保護装置は、保護枠３と、保護カバー４と、結束具５１とを含む。
【００２６】
保護枠３は、長枠３１と、短枠３２とを含み、２つの相対向する開口面を有する。長枠３１は２つであって、相互に相対向し、同一方向に平行して延びる。短枠３２は２つであって、相互に相対向し、同一方向に平行して延びるとともに、長枠３１と直交する。
【００２７】
２つの長枠３１のそれぞれは、第１の掛止縁３１３と、第２の掛止縁３１４とを有する。第１及び第２の掛止縁３１３、３１４は、鉤形状であって、長枠３１の一面に突出し、かつ、一辺に連続して設けられ、上下に間隔を隔てて相対向する。
【００２８】
同様に、２つの短枠３２のそれぞれも、第１の掛止縁３２３と、第２の掛止縁３２４とを有する。短枠３２は長枠３１と同じ構造を有し、流用可能であるから、重複説明は省略する。
【００２９】
保護枠３は、さらに接続部材３５を含む。接続部材３５は、保護枠３の隅部において、直交する長枠３１と短枠３２とを連結し、枠体を維持する。図示実施例において、接続部材３５は、第１及び第２の掛止縁３１３及び３１４、３２３及び３２４の鉤状空間それぞれに嵌合する手段を有する。
【００３０】
長枠３１及び短枠３２が、それぞれの端部を接続部材３５によって連結される構造によると、保護枠３の外形形状は図示する長方形形状に限定されない。例えば、長枠３１及び短枠３２の寸法を適当に設定することで、保護枠３を大型化もしくは小型化し、さらには正方形形状等を採り得るように設定することができる。また、長枠３１及び短枠３２の数量等を適当に設定することで、多角形形状へと適宜設定することも、容易に、且、安価に実行可能である。
【００３１】
図示実施例において、長枠３１及び短枠３２の一辺に渡って、第１及び第２の掛止縁３１３、３１４、３２３、３２４が設けられているのは例示に過ぎない。長枠３１及び短枠３２のそれぞれ一辺において、部分的に設けても良いし、長枠３１若しくは短枠３２の一方のみに第１及び第２の掛止縁３１３、３１４、３２３、３２４を設けてもよい。
【００３２】
図示する保護カバー４は、条状の凸部４１と凹部４２とが、連続する凹凸構造である。凹部４２は好ましくは可撓性材料を含む。上述した構造によると、凸部４１及び凹部４２の形状、ピッチ数及びピッチ間隔等を設定することにより、保護カバー４の排水性、耐衝撃性及び耐圧性等を向上させることができる。
【００３３】
また、保護カバー４は、具体的例として、家庭用風呂蓋のような蛇腹構造となり、巻き上げることができる。（後述図１２参照）
図示実施例をより詳細に説明すると、保護カバー４の凹凸構造は、板状部材が各凸部４１の相互間において露出することにより、凹部４２が形成されている。但し、凸部４１及び凹部４２は一体的に成型される構造であってもよいし、凸部４１と凹部４２それぞれを複数用いて、一体化する構造であってもよい。
【００３４】
結束具５１は、バンド部５１１と、フック部５１２とを含む。バンド部５１１は、伸縮性を有する材料を含む。好ましい例としては、ゴム等の弾性材料や、繊維体及び金属薄板等を挙げることができる。また、バンド部５１１は、両端にフック部５１２を保持する手段を有する。
【００３５】
フック部５１２は、各結束具５１において２つ含まれる。２つのフック部５１２は、それぞれのフック先端が同一方向を向くように配置され、バンド部５１１の両端において前記保持手段により保持される。
【００３６】
図２は、図１に示した保護枠と保護カバーとの組立状態を示す斜視図である。図示するように、保護枠３と保護カバー４とは、外郭寸法及び外郭形状が、一致するものを使用して組み立てる構造であることが好ましい。
【００３７】
上述した構造によると、保護カバー４を保護枠３に載置した場合に、隙間なく密着させることができるから、浄化槽用スラブ保護装置は、優れた防水性及び断熱性を有する。また、密着構造によれば突出部分を減少できるから、保護カバー４が強風等により移動し、さらには脱落する等の不都合の発生を低減できる。
【００３８】
同様に、突出部分が減少することで、現場作業員が躓いて負傷したり、または他人に負傷させる等の事故の発生を未然に防止でき、且、省スペース化に適した浄化槽用スラブ保護装置を提供することができる。
【００３９】
さらに保護カバー４において、凸部４１及び凹部４２の形状、ピッチ数及びピッチ間隔等を設定することにより、耐衝撃性及び耐圧性等を適宜設定することができるから、直接的な損壊が発生しやすい作業現場においても、確実に養生期間中のコンクリートを保護することができる。
【００４０】
次に図３乃至図１１を参照して、本発明に係る保護装置の使用して浄化槽用スラブを打設する工程を説明する。図３乃至図１１において、成型枠７と保護枠３とは、同一構造の枠体を流用したものである。
【００４１】
まず、図３に示すように、浄化槽２を地中に埋設すると共に、蓋２５を地表面から露出させる。そして、成型枠７を地表面に設置し、埋設された浄化槽２において露出する蓋２５を囲む。成型枠７において、少なくとも四隅部と、相対向する長枠７１に沿った中間部の任意の箇所とには、補助部６を設置する。補助部６は、鉄筋５を安定して保持するために設けられる。鉄筋５は工事現場において組立及び設置するか、事前に組立し工事現場において設置する。鉄筋５は、埋設された浄化槽２の上部に設置されるコンクリート８の強度を、補強するために設けられる。
【００４２】
次に、図４及び図５に示すように、コンクリート８を成型枠７で仕切られた範囲内に注入する。成型枠７の厚みは、蓋２５が地表面から露出する高さとほぼ一致する。従って、蓋２５に覆いを設ける等の別段の処置を講じることなく、広い範囲に渡って成型枠７の縁までの均一な高さにコンクリート８が注入される。コンクリート８は、鏝等を用いて、成型枠７と隣接する周辺部を面取りすることが好ましい。
【００４３】
次に、図６及び図７に示すように、成型枠７の上部に、保護枠３を載置する。成型枠７は、好ましくは保護枠３を流用したものであり、容易に相互に四隅部を揃えて載置される。成型枠７はコンクリート成型枠としての機能を有し、保護枠３はコンクリート保護枠としての機能を有する。
【００４４】
成型枠７と隣接するコンクリート８の周辺部を面取りしてあると、保護枠３を重ねた場合に、保護枠３がコンクリート８を損傷することがない。図３乃至７の工程を参照すると、保護枠３の載置前にコンクリート８が注入されているが、保護枠３の載置後にコンクリート８を注入してもよい。
【００４５】
図８は、図７に示した工程に続く工程を示す分解斜視図である。図８の工程では、結束具５１を用いて、保護カバー４を保護枠３の上部に固定し、成型枠７に注入されたコンクリート８を保護する構造を示す。
【００４６】
図９乃至図１１に示すように、保護枠３の上部には、相互に四隅部を揃えて、保護カバー４が載置されている。そして、結束具５１を用いて、保護カバー４を保護枠３に固定する。保護カバー４は、２つのフック部５１２を掛止するバンド部５１１により、保護枠３上に押し付けられ、固定される。結束具５１と成型枠７とは、フック部５１２により固定される。
【００４７】
上述した構造によると、結束具５１は、成型枠７への掛止手段として、フック部５１２を有しているから、優れた結束強度を有する。
【００４８】
さらに、結束具５１は、保護カバー４を、バンド部５１１により保護枠３に固定する一方、掛止手段としてフック部５１２を別に有しているから、バンド部５１１の損傷を低減できる結果、複数回の使用に耐える優れた構造的強度を有する。
【００４９】
図示するように、成型枠７の長枠７１それぞれには、第１の掛止縁７１３が連続して設けられているから、数量及び場所を任意に選択し、結束具５１を、フック部５１２で、保護枠３に掛け留めることができる。
【００５０】
図１０で図示するように、保護カバー４は保護枠３の上部に載置され、保護枠３は成型枠７の上部に載置されるから、保護カバー４とコンクリート８との間には保護枠３の厚み分だけ非接触空間が発生する。非接触空間は、空気断熱効果を奏するから、気温の低下や降雨等の気象条件の変化に起因するコンクリート８の劣化を防止することができる。保護カバー３が断熱材でなる場合には、気温の低下によるコンクリート８の品質低下を、更に効果的に阻止することができる。
【００５１】
また、本発明に係る浄化槽用スラブ保護装置の構造は、保護枠３の上部に保護カバー４を設置するという簡易な構造であるから、養生板や養生マット若しくはテント等を使用した従来技術に比較して容易に、且、確実に設置することができる。
【００５２】
同様に、本発明に係るスラブ保護装置において、保護枠３を、周知のコンクリート成型枠として機能する成型枠７に転用することができるから、浄化槽用スラブの打設工事を安価で実行できる。
また、本発明に係る浄化槽用スラブ保護装置は、前記空気断熱効果を得る為、掛止手段を有しない周知の枠体を保護枠３として利用し、保護カバー４と成型枠７との間に挟み、使用しても形成できるから、施工コストを削減できる。
また、本発明に係る浄化槽用スラブ保護装置は、テントとは異なり、その設営に紐を使用しない上、省スペース化に適した構造であるから、現場において作業スペースを広く確保でき、作業者が躓いて負傷したり、また他人に負傷させる等の事故の発生を未然に防止できる。
【００５３】
図１２は、本発明に係る保護カバーの保管方法を示す斜視図である。図示において、図１乃至図１１に図示した構成部分と同一の構成部分には、同一の参照符号を付し、重複説明を省略する。
【００５４】
図１において述べたように、保護カバー４は、具体的例として、家庭用風呂蓋のような蛇腹構造となり、巻き上げることができる。そこで、巻き上げた保護カバー４の外周に、結束具５１を巻き付け、２つのフック部５１２を相互に噛み合わせて、保護カバー４を拘束する。この保管方法によれば、現場への運搬や、現場での移動及び保管を容易に行なうことができる。
【００５５】
また、図示実施例は省スペース化に適した構造であるから、狭い作業現場において作業空間を広く確保できると共に、現場作業者の安全管理にも資する。
【００５６】
さらに、結束具５１は、保管のための結束手段としても兼用することができることになるから、効率的かつ経済的である。
【００５７】
２．第２の実施例について
図１３は、本発明に係る浄化槽用スラブ保護装置の別の実施例について分解構造を示す斜視図である。図示実施例に係るスラブ保護装置は、保護枠３と、保護カバー４と、結束具５２とを含む。図示において、図１乃至図１１に図示した構成部分と同一の構成部分には、同一の参照符号を付し、重複説明を省略する。
【００５８】
図示する保護枠３において、第１及び第２の掛止部３１１、３１２は長枠３１の両端付近に設けられ、垂直方向において上下に相対向するとともに、周方向に突出している。但し、第１及び第２の掛止部３１１、３１２は、短枠３２に設けられてもよい。第１及び第２の掛止部３１１、３１２の設置数及び形状は、図示する所には限定されない。
【００５９】
図示する保護カバー４はスリット４３を有する。スリット４３は、保護カバー４が保護枠３に載置された場合に、第１の掛止部３１１に掛止できる位置に設けられればよい。図示するスリット４３は、保護カバー４の四隅部付近に設けられているが例示に過ぎない。
【００６０】
図示する結束具５２は、伸縮性を有する材料を含む。好ましい例としては、ゴム等の弾性材料や、繊維体及び金属薄板等を挙げることができる。保護カバー４はスリット４３を有し、保護枠３は第１の掛止部３１１を有し、スリット４３と第１の掛止部３１１とは、垂直方向において相対向するように位置決めされているから、結束具５２を用いて保護カバー４と保護枠３とを掛止し、固定することができる。
【００６１】
図１４は図１３に示した浄化槽用スラブ保護装置の使用状態を示す斜視図、図１５は図１３の掛止部分を拡大した斜視図である。図示する浄化槽用スラブ保護装置の使用状態では、保護カバー４と、結束具５２と、保護枠３と、成型枠７とを含む。
【００６２】
図示する保護枠３は、２つの長枠３１それぞれにおいて、第１の掛止部３１１と、第２の掛止部３１２とを有する。第１及び第２の掛止部３１１、３１２は、長枠３１の両端に設けられ、垂直方向において上下に相対向するとともに、周方向に向かって突出している。
【００６３】
図示する保護枠３において、長枠３１の両端に、第１及び第２の掛止部３１１、３１２が設けられているのは例示に過ぎない。短枠３２に第１及び第２の掛止部３１１、３１２を設けてもよいし、さらには保護枠３の一側面において適当な箇所及び数量で設けてもよい。
【００６４】
図示する成型枠７は、２つの長枠７１それぞれにおいて、第１の掛止部７１１と第２の掛止部７１２とを有する。図示する成型枠７は、好ましい例として、保護枠３を流用したものであるから、詳しい説明は省略する。
【００６５】
保護カバー４は、それぞれの四隅部が合致するように保護枠３の上部に設置される。保護枠３は第１の掛止部３１１を有し、保護カバー４はスリット４３を有するから、図１４及び図１５で示するように、結束具５２を使用して保護カバー４と、保護枠３とを固定することができる。
【００６６】
図示する結束具５２は、さらに、保護枠３の第１の掛止部３１２と、成型枠７の第１の掛止部７１１とにも設けられる。成型枠７と、保護枠３とは相互に流用可能であるから、図１４及び図１５で示すように、結束具５２を使用して第２の掛止部３１２と、第１の掛止部７１１とを掛止し、固定することができる。
【００６７】
第１の実施例と第２の実施例との相違点は、掛止具５１と結束具５２と掛止手段の相違から派生している。従って、具体的な掛止工程を除き、浄化槽用スラブ保護装置の使用方法につき図３〜図１１の工程に従って行なうことができる。
【００６８】
保護枠３と保護カバー４とを結束具５２で固定することにより得られる本発明に係る浄化槽用スラブ保護装置の作用及び効果についても、上述した第１の実施例と同様であるので、重複説明を省略する。
【００６９】
結束具５２は、結束具５１とは異なり、保護枠３を複数用いて、任意の高さに積み上げ、それぞれの掛止部を連続して掛止することができる。その場合、結束具５２は複数必要になるが、同一のもので足りるから安価になる。
【００７０】
以上、好ましい実施例を参照して本発明の内容を具体的に説明したが、本発明の基本的技術思想及び教示に基づいて、当業者であれば、種々の変形態様を採り得ることは自明である。
【００７１】
【発明の効果】
以上述べたように、本発明によれば、次のような効果を得ることができる。
（ａ）養生期間中のコンクリートを損壊または変質から確実に保護することができる浄化槽用スラブ保護装置及び浄化槽用スラブの打設方法を提供することができる。
（ｂ）容易、且、安価で実行できる浄化槽用スラブ保護装置及び浄化槽用スラブの打設方法を提供することができる。
（ｃ）省スペース化に適した浄化槽用スラブ保護装置及び浄化槽用スラブの打設方法を提供することができる。
【図面の簡単な説明】
【図１】本発明に係る浄化槽用スラブ保護装置の分解構造を示す斜視図である。
【図２】図１に示した成型枠と保護カバーとの組立て状態を示す斜視図である。
【図３】本発明に係る浄化槽用スラブの打設方法の工程を示す斜視図である。
【図４】図３に示した工程に続く工程を示す斜視図である。
【図５】図４の５−５線に沿った断面図である。
【図６】図４及び５に示した工程に続く工程を示す斜視図である。
【図７】図６の７−７線に沿った断面図である。
【図８】図７に示した工程に続く工程を示す分解斜視図である。
【図９】図８に示した工程に続く工程を示す斜視図である。
【図１０】図９の１０−１０線に沿ったである。
【図１１】図９に示す組立状態の一部を拡大した斜視図である。
【図１２】本発明に係る保護カバーの保管方法を示す斜視図である。
【図１３】本発明に係る浄化槽用スラブ保護装置の別の実施例について分解構造を示す斜視図である。
【図１４】図１３に示した浄化槽用スラブ保護装置の使用状態を示す斜視図である。
【図１５】図１３に示す浄化槽用スラブ保護装置の掛止部分を拡大した斜視図である。
【符号の説明】
３                    保護枠
３１                  長枠
３１３                第１の掛止縁
３１４                第２の掛止縁
３２                  短枠
３２３                第１の掛止縁
３２４                第２の掛止縁
３５                  接続部材
４                    保護カバー
４１                  凸部
４２                  凹部
５１                  結束具
５１１                バンド部
５１２                フック部
【図１】
0003986886.tif 000002
【図２】
0003986886.tif 000003
【図３】
0003986886.tif 000004
【図４】
0003986886.tif 000005
【図５】
0003986886.tif 000006
【図６】
0003986886.tif 000007
【図７】
0003986886.tif 000008
【図８】
0003986886.tif 000009
【図９】
0003986886.tif 000010
【図１０】
0003986886.tif 000011
【図１１】
0003986886.tif 000012
【図１２】
0003986886.tif 000013
【図１３】
0003986886.tif 000014
【図１４】
0003986886.tif 000015
【図１５】
0003986886.tif 000016